(57)【特許請求の範囲】
【請求項１】
生ゴミ処理槽内に設けた撹拌手段を回転駆動して同生ゴミ処理槽内に充填した生ゴミ処理材を撹拌することにより同生ゴミ処理槽内に投入した生ゴミが分解処理されるものであり、上記生ゴミ処理槽に隣接するように仕切り板を介して処理材排出槽を設け、この処理材排出槽の方へ上記生ゴミ処理材をオーバーフローさせる開口部が上記仕切り板に設けられ、さらに、上記生ゴミ処理槽の下部および処理材排出槽の下部にわたって設けられた点検口を塞ぐ点検口本体があって、この点検口本体にあり、上記処理材排出槽の下方部に位置する排出開口、および、この排出開口と連通する点検口用蓋を設け、この点検口用蓋には、同処理材排出槽から排出された上記生ゴミ処理材を受ける袋状の受け槽が着脱自在に装着されていることを特徴とする生ゴミ処理装置。
【請求項２】
上記受け槽を着脱自在に装着することができるように導く受け槽取付ガイドを上記点検口用蓋に設けたことを特徴とする請求項１記載の生ゴミ処理装置。
【請求項３】
上記点検口本体の下部に形成され、手前側に突出した筒体、上記点検口用蓋の上部に手前側に突出した中空状の突起体、および、同点検口用蓋の下部に背面側に突出した突出柱を設け、さらに、上記突起体の中空部分にビスを手回し固定し、上記突出柱を上記筒部に差し込んで、上記点検口本体と上記点検口用蓋とが一体に取り付けられてなることを特徴とする請求項１または請求項２記載の生ゴミ処理装置。
【請求項４】
上記突起体の周囲に手前より背面へ窪んだ凹所を設けたことを特徴とする請求項３記載の生ゴミ処理装置。
【発明の詳細な説明】
【０００１】
【発明の属する技術分野】
本発明は、生ゴミ処理装置に関し、具体的には、微生物の力を利用して生ゴミの分解処理を行う生ゴミ処理装置に関するものである。
【０００２】
【従来の技術】
従来から微生物を利用して有機物及び水分を含有する生ゴミを環境に影響を与えない程度に分解処理（発酵）することが行われており、この処理を行う生ゴミ処理装置が知られている。
【０００３】
この生ゴミ処理装置は、図６に示すごとく、生ゴミ処理槽（１）内にバイオチップと称する木質細片を生ゴミ処理材（３）として充填してあり、生ゴミ処理槽（１）に設けた投入口（１１）から生ゴミを生ゴミ処理槽（１）内に投入し、生ゴミ処理材（３）に生息する微生物の働きで生ゴミを発酵させて分解処理するようになっていたものであった。
【０００４】
具体的には、上記生ゴミ処理槽（１）に隣接するように仕切り板（４）を介して処理材排出槽（５）を設けるとともに、上記仕切り板（４）に生ゴミ処理槽（１）内の生ゴミ処理材（３）を処理材排出槽（５）にオーバーフローさせる開口部（６）を設け、処理材排出槽（５）の下部の排出開口（７）に処理材排出槽（５）から排出される生ゴミ処理材（３）を受ける袋状の受け槽（８）を装着しているものであった。
【０００５】
そして、このような生ゴミ処理装置においては、生ゴミ処理の使用頻度により生ゴミ処理槽（１）内の生ゴミ処理材（３）の嵩が増えても余分な生ゴミ処理材（３）は仕切り板（４）の開口部（６）から処理材排出槽（５）に排出され、処理材排出槽（５）から受け槽（８）に受けられるものであって、生ゴミ処理槽（１）内の生ゴミ処理材（３）が所定以上嵩が増えず、生ゴミ処理材（３）の撹拌などがスムーズにできて効率のよい生ゴミ処理ができるものであり、しかも、余剰の生ゴミ処理材（３）は処理材排出槽（５）を介して受け槽（８）に受けることができて、容易に余剰の生ゴミ処理材（３）を回収できるとともに、受け槽（８）を取り外すことで余剰の生ゴミ処理材（３）を受け槽（８）にて廃棄できるものであった。
【０００６】
ところで、生ゴミ処理槽（１）と処理材排出槽（５）とは、メンテナンスなどの際に、それぞれの内部を見ることができるように、同生ゴミ処理槽（１）の下部には第１の点検口（１３）を設けていて、この第１の点検口（１３）を通常閉じる第１の点検蓋（１４）がビスにて取り付けられていたものであり、同様に、同処理材排出槽（５）の下部には第２の点検口（１９）を設けていて、この第２の点検口（１９）を通常閉じる第２の点検蓋（２０）がビスにて取り付けられていたものであった。
【０００７】
【発明が解決しようとする課題】
しかしながら、このような生ゴミ処理装置においては、第１の点検口（１３）を通常閉じる第１の点検蓋（１４）および第２の点検口（１９）を通常閉じる第２の点検蓋（２０）がいずれもビスにて取り付けられているものであり、メンテナンスなどの際に、第１の点検蓋（１４）と第２の点検蓋（２０）を開けるのに、ビスの外し作業が多くなり、手間がかかるとともに、メンテナンス終了後においても、再びビスをすべて取り付けなければならず、非常に面倒な作業となっていたものであった。
【０００８】
本発明は、叙述の点に鑑みてなされたものであって、その目的とするところは、メンテナンスを容易に行うことができる生ゴミ処理装置を提供するところにある。
【０００９】
【課題を解決するための手段】
本発明の請求項１に係る生ゴミ処理装置は、生ゴミ処理槽（１）内に設けた撹拌手段を回転駆動して同生ゴミ処理槽（１）内に充填した生ゴミ処理材（３）を撹拌することにより同生ゴミ処理槽（１）内に投入した生ゴミが分解処理されるものであり、上記生ゴミ処理槽（１）に隣接するように仕切り板（４）を介して処理材排出槽（５）を設け、この処理材排出槽（５）の方へ上記生ゴミ処理材（３）をオーバーフローさせる開口部（６）が上記仕切り板（４）に設けられ、さらに、上記生ゴミ処理槽（１）の下部および処理材排出槽（５）の下部にわたって設けられた点検口（２８）を塞ぐ点検口本体（２１）があって、この点検口本体（２１）にあり、上記処理材排出槽（５）の下方部に位置する排出開口（７）、および、この排出開口（７）と連通する点検口用蓋（２２）を設け、この点検口用蓋（２２）には、同処理材排出槽（５）から排出された上記生ゴミ処理材（３）を受ける袋状の受け槽（８）が着脱自在に装着されていることを特徴とする。
【００１０】
本発明の請求項２に係る生ゴミ処理装置は、上記受け槽（８）を着脱自在に装着することができるように導く受け槽取付ガイド（２３）を上記点検口用蓋（２２）に設けたことを特徴とする。
【００１１】
本発明の請求項３に係る生ゴミ処理装置は、上記点検口本体（２１）の下部に形成され、手前側に突出した筒体（２４）、上記点検口用蓋（２２）の上部に手前側に突出した中空状の突起体（２５）、および、同点検口用蓋（２２）の下部に背面側に突出した突出柱（２６）を設け、さらに、上記突起体（２５）の中空部分にビスを手回し固定し、上記突出柱（２６）を上記筒部（２４）に差し込んで、上記点検口本体（２１）と上記点検口用蓋（２２）とが一体に取り付けられてなることを特徴とする。
【００１２】
本発明の請求項４に係る生ゴミ処理装置は、上記突起体（２５）の周囲に手前より背面へ窪んだ凹所（２７）を設けたことを特徴とする。
【００１３】
【発明の実施の形態】
以下、本発明を実施形態に係る図面に基いて詳細に説明する。
【００１４】
図１の（ａ）は、本発明の一実施形態に係る生ゴミ処理装置を正面から見た断面図であり、図１の（ｂ）は、同図１の（ａ）の生ゴミ処理装置の要部を正面から見た概略図である。図２は、本発明の一実施形態に係る生ゴミ処理装置の要部を側面から見た分解断面図である。図３は、本発明の生ゴミ処理装置に用いられる一実施形態に係る点検口用蓋の斜視図である。図４は、本発明の生ゴミ処理装置に用いられる一実施形態に係る点検口本体の斜視図である。図５は、本発明の一実施形態に係る生ゴミ処理装置を側面から見た断面図である。
【００１５】
本発明の生ゴミ処理装置は、図１ないし図５に示すごとく、生ゴミ処理槽（１）内に設けた撹拌手段（２）を回転駆動して同生ゴミ処理槽（１）内に充填した生ゴミ処理材（３）を撹拌することにより同生ゴミ処理槽（１）内に投入した生ゴミが分解処理されるものであり、上記生ゴミ処理槽（１）に隣接するように仕切り板（４）を介して処理材排出槽（５）を設け、この処理材排出槽（５）の方へ上記生ゴミ処理材（３）をオーバーフローさせる開口部（６）が上記仕切り板（４）に設けられ、さらに、上記生ゴミ処理槽（１）の下部および処理材排出槽（５）の下部にわたって設けられた点検口（２８）を塞ぐ点検口本体（２１）があって、この点検口本体（２１）にあり、上記処理材排出槽（５）の下方部に位置する排出開口（７）、および、この排出開口（７）と連通する点検口用蓋（２２）を設け、この点検口用蓋（２２）には、同処理材排出槽（５）から排出された上記生ゴミ処理材（３）を受ける袋状の受け槽（８）が着脱自在に装着されているものである。
【００１６】
本発明の実施の形態に係る生ゴミ処理装置は、図１ないし図５に示すごとく、上方が開口したケース（１６）に上方が開口した生ゴミ処理槽（１）が内装してあり、この生ゴミ処理槽（１）内には撹拌手段（２）が回転自在に内装してあるものである。このケース（１６）は、底部の底板（１６ａ）やその他にも背部の背板、両側に取り付けた側カバー、前面の上部に取り付けた前上カバー、前面の下部に取り付けた前下カバーなどで形成されているものである。
【００１７】
図１ないし図５に示すごとく、上記ケース（１６）の底板（１６ａ）の下面にはベース（１７）を装着してあり、ベース（１７）の下端を設置できるようになっているものである。このケース（１６）の上面開口には開閉自在な蓋（１８）を装着しているものである。
【００１８】
上記撹拌手段（２）は、例えば、図５に示すごとき中空パイプ状をした撹拌軸に同撹拌軸の軸方向に対して略直交する方向に突出する撹拌羽根を設けて構成してあり、該撹拌軸が生ゴミ処理槽（１）や処理材排出槽（５）の側壁に設けた軸受部に回転自在に軸支しているものである。少なくとも撹拌軸の一端部は、生ゴミ処理槽（１）や処理材排出槽（５）の側壁より外側に突出しており、撹拌軸の外側への突出部分にスプロケットを設けているものである。
【００１９】
上記生ゴミ処理槽（１）の下部の外面部には、例えば、面ヒータを取着してあり、生ゴミ処理槽（１）に装填した生ゴミ処理材（３）の温度が低い場合に面ヒータにより加熱されるようになっているものである。この面ヒータは制御部で制御されるようになっているものである。
【００２０】
また、同生ゴミ処理槽（１）内には微生物が生息したバイオチップと称されるおが屑状の木質細片のような担体よりなる生ゴミ処理材（３）が入れているものである。
【００２１】
上記生ゴミ処理材（３）としては、例えば、従来から公知の木質細片（例としてあげると特公平２−３０７６０号公報など）が使用できるものである。また、上記生ゴミ処理槽（１）内には含水率センサーが配設されており、生ゴミ処理槽（１）内の生ゴミ処理材（３）の含水率を測定できるようになっているものである。この含水率センサーで測定した含水率により、制御部にて空流ファン（２４）や面ヒータや撹拌手段（２）の運転制御ができるようになっているものである。
【００２２】
上記のような生ゴミ処理装置において、生ゴミ処理槽（１）内に生ゴミが投入されると、撹拌手段（２）が回転して生ゴミを生ゴミ処理材（３）と撹拌混合させる。すると、生ゴミ処理材（３）に生息する微生物の働きにより生ゴミが分解処理されるものである。
【００２３】
また、本発明の場合、一次槽としての生ゴミ処理槽（１）の側方に生ゴミ処理槽（１）と隣接するように二次槽としての処理材排出槽（５）を一体に設けてあり、生ゴミ処理槽（１）と処理材排出槽（５）との間の仕切り板（４）の上部には生ゴミ処理槽（１）から処理材排出槽（５）に生ゴミ処理材（３）をオーバーフローさせる複数の開口部（６）を設けてある。
【００２４】
上記処理材排出槽（５）は、図１の（ａ）、（ｂ）および図５に示すごとく、撹拌手段（２）を挟んで上方及び下方の位置で開口しているものである。具体的には、上方の開口は開口部（６）となっており、下方の開口は排出開口（７）となっているものであり、特に、下方の開口は、上記生ゴミ処理槽（１）の下部に設けられた点検口（２８）を塞ぐ点検口本体（２１）があって、この点検口本体（２１）にあり、上記処理材排出槽（５）の下方部に位置する排出開口（７）となっているものである。また、同処理材排出槽（５）は、本実施形態の場合、直方体箱状になっているものである。
【００２５】
そして、図１の（ａ）、（ｂ）および図３に示すごとく、上記点検口用蓋（２２）は、上記排出開口（７）と連通しているものである。この点検口用蓋（２２）には、同処理材排出槽（５）から排出された上記生ゴミ処理材（３）を受ける袋状の受け槽（８）が着脱自在に装着されているものである。
【００２６】
そして、上記受け槽（８）は、図１の（ａ）および図５に示すごとく、上記処理材排出槽（５）に対して、同処理材排出槽（５）の下方部に位置しており、三次槽としての役割を果たしているものである。
【００２７】
上記受け槽（８）は、図１の（ａ）および図５に示すごとく、袋状のものであって、例えば、本実施形態の場合、柔軟な袋状物にて形成されており、この袋状物の上端の開口縁には、矩形状の開口部分（１０）を設けているものである。この受け槽（８）の材質としては、具体的には、紙製のものが用いられているが、それ以外にポリエチレン製などの柔軟なものを採用してもかまわないものであり、特に制限されるものではないものである。そして、この受け槽（８）は、装着の際、折り畳まれていてもかまわないものである。
【００２８】
なお、図５に示すごとく、上記受け槽（８）の開口部分（１０）としては、その周縁（１５）が、例えば、硬質板で形成されているものであり、このような硬質板にて同開口部分（１０）が常に確保されているものである。
【００２９】
このとき、例えば、周縁（１５）が硬質板で形成されている開口部分（１０）と受け槽（８）とを脱着自在に結合している場合であると、硬質板だけを再利用するようにして受け槽（８）ごと生ゴミ処理材（３）を投棄し得るようにできるものである。
【００３０】
さらに、上記受け槽（８）の内面が、樹脂コーティングを施されたものであると、樹脂によるコーティングで、受け槽（８）内から外へ臭気が漏れたり、同受け槽（８）内から外へ水分がしみ出したりすることが、確実に防止されるものであり、使用者にとって衛生的で快適なものとすることができるものである。特に、受け槽（８）が紙製のものであると、同受け槽（８）の強度としても確実に上げられるものである。
【００３１】
特に、上記樹脂コーティングが、シリコンコーティングであると、シリコンによるコーティングで、受け槽（８）内から外へ臭気が漏れたり、同受け槽（８）内から外へ水分がしみ出したりすることが、より一層確実に防止されるものであり、使用者にとってより一層衛生的で快適なものとすることができるものである。特に、受け槽（８）が紙製のものであると、同受け槽（８）の強度としてもより一層確実に上げられるものである。
【００３２】
なお、図１の（ａ）、（ｂ）、図２および図５に示すごとく、上記点検口用蓋（２２）は、上記排出開口（７）と上記受け槽（８）とが連通していることから、同点検口用蓋（２２）の本体部分が、生ゴミ処理材（３）が通過するダクト（９）となっているものである。
【００３３】
上記のように処理材排出槽（５）や受け槽（８）を設けると、生ゴミ処理槽（１）内の生ゴミ処理材（３）の嵩が増えても、生ゴミ処理材（３）の量が所定量を越えると、開口部（６）からオーバーフローして処理材排出槽（５）に排出され、処理材排出槽（５）を介して受け槽（８）に受けられるものである。このように生ゴミ処理槽（１）内の生ゴミ処理材（３）の嵩が増えても、オーバーフローして排出されるために生ゴミ処理槽（１）内で生ゴミ処理材（３）の撹拌などがスムーズに行われ、生ゴミ処理が効率よく行われるものである。
【００３４】
また、オーバーフローした生ゴミ処理材（３）は、処理材排出槽（５）を介して受け槽（８）に受けられるが、このとき通気管などを介して、通気されて受け槽（８）内の生ゴミ処理材（３）が効果的に乾燥させられるものである。受け槽（８）に多くの生ゴミ処理材（３）が溜まると、受け槽（８）が取り外され、受け槽（８）内に入った生ゴミ処理材（３）が投棄されるものである。
【００３５】
本発明は、このような構成をとることによって、生ゴミ処理の使用頻度により生ゴミ処理槽（１）内の生ゴミ処理材（３）の嵩が増えても余分な生ゴミ処理材（３）は仕切り板（４）の開口部（６）から処理材排出槽（５）に排出され、処理材排出槽（５）から受け槽（８）に受けられるものであって、生ゴミ処理槽（１）内の生ゴミ処理材（３）が所定以上嵩が増えず、生ゴミ処理材（３）の撹拌などがスムーズにできて効率のよい生ゴミ処理ができるものであり、しかも、余剰の生ゴミ処理材（３）は、処理材排出槽（５）を介して受け槽（８）に受けることができて、容易に余剰の生ゴミ処理材（３）を回収できると共に、受け槽（８）を取り外すことで余剰の生ゴミ処理材（３）を受け槽（８）にて廃棄でき、メンテナンスが容易にできるものである。
【００３６】
また、点検口本体（２１）にて生ゴミ処理槽（１）の下部に設けられた点検口（２８）を塞ぐとともに、処理材排出槽（５）の下方部に位置する排出開口（７）を点検口本体（２１）に設けることで、従来のように２つの点検蓋が不要なものとなって、その分だけビスの外し作業が少なくなり、結果として、手間が減り、メンテナンスの作業効率としては高くなるものである。しかも、この排出開口（７）と連通するようにして点検口用蓋（２２）を設けて袋状の受け槽（８）が着脱自在に装着されているために、この点検口用蓋（２２）が処理材排出槽（５）から排出された生ゴミ処理材（３）を通すダクトとしての役割と受け槽（８）の取り付けガイドとしての役割を果たし、結果として、部品点数削減に繋がり、このような点においても、手間が減り、メンテナンスの作業効率としては高くなるものである。
【００３７】
すなわち、本発明は、メンテナンスを容易に行うことができるものである。
特に、図１の（ａ）、（ｂ）および図３に示すごとく、上記受け槽（８）を着脱自在に装着することができるように導く受け槽取付ガイド（２３）を上記点検口用蓋（２２）に設けているものであると、受け槽（８）の装着を行う際、この受け槽取付ガイド（２３）に受け槽（８）を取り付けて、同受け槽取付ガイド（２３）に沿って受け槽（８）を導くと、自ずと受け槽（８）の装着が完結するものである。逆に、受け槽（８）の取り外しを行う際、この受け槽取付ガイド（２３）に沿って、受け槽（８）をずらしていくだけで、受け槽（８）が簡単に外れるものであり、以上のことから、受け槽取付ガイド（２３）にて受け槽（８）としては、より一層簡単、かつ、迅速に着脱自在に装着することができるものとなる。
【００３８】
上記受け槽取付ガイド（２３）としては、例えば、図１の（ａ）、（ｂ）および図３に示すごとく、一対のレール状に形成されたものであるが、これに限らず、受け槽（８）を着脱自在に装着することができるように導くことができるものであれば、特にその形状としては制限されるものではないものである。
【００３９】
また、図１の（ａ）、（ｂ）、図２に示すごとく、上記点検口本体（２１）の下部に形成され、手前側に突出した筒体（２４）、上記点検口用蓋（２２）の上部に手前側に突出した中空状の突起体（２５）、および、同点検口用蓋（２２）の下部に背面側に突出した突出柱（２６）を設け、さらに、上記突起体（２５）の中空部分にビスを手回し固定し、上記突出柱（２６）を上記筒部（２４）に差し込んで、上記点検口本体（２１）と上記点検口用蓋（２２）とが一体に取り付けられてなっているものであると、点検口用蓋（２２）の下部に背面側に突出した突出柱（２６）を点検口本体（２１）の下部に形成され、手前側に突出した筒体（２４）に差し込むとともに、点検口用蓋（２２）の上部に手前側に突出した中空状の突起体（２５）において、中空部分にビスを差し込んで、同ビスを手回し固定するだけで、点検口本体（２１）と点検口用蓋（２２）とが簡単に一体に取り付けられるものとなり、メンテナンスの作業効率としてはより一層良くなるものである。また、図３に示す点検口用蓋（２２）、および、図４に示す点検口本体（２１）は、上記のものとは異なる形態であるが、このものにあっても、点検口用蓋（２２）の上部に手前側に突出した中空状の突起体（２５）において、中空部分にビスを差し込んで、同ビスを手回し固定するだけで、点検口本体（２１）と点検口用蓋（２２）とが簡単に一体に取り付けられるものとなる。なお、図４の（２４）は上記筒体（２４）と異なる構成であるが、点検口本体（２１）と点検口用蓋（２２）とを一体とする際に用いられるものであり、また、この場合、点検口用蓋（２２）には上記突出柱（２６）が存在しないものである。
【００４０】
さらに、図２に示すごとく、上記突起体（２５）の周囲に手前より背面へ窪んだ凹所（２７）を設けているものであると、この凹所（２７）に作業者が手指を入れることで、ビスが手で回しやすくなり、突起体（２５）の中空部分に簡単にビスを手回し固定することができるようになるものであり、点検口本体（２１）と点検口用蓋（２２）とをより一層簡単、かつ、迅速に一体に取り付けられるようになるものである。
【００４１】
上記ビスとしては、図１の（ａ）、（ｂ）および図２に示すごとく、例えば、化粧ビス（２９）が用いられるものであるが、これに制限されることなく、このような類のものはすべて含まれるものである。
【００４２】
本発明の生ゴミ処理装置によると、図１ないし図５に示すごとく、生ゴミ処理槽（１）内に設けた撹拌手段（２）を回転駆動して同生ゴミ処理槽（１）内に充填した生ゴミ処理材（３）を撹拌することにより同生ゴミ処理槽（１）内に投入した生ゴミが分解処理されるものであり、上記生ゴミ処理槽（１）に隣接するように仕切り板（４）を介して処理材排出槽（５）を設け、この処理材排出槽（５）の方へ上記生ゴミ処理材（３）をオーバーフローさせる開口部（６）が上記仕切り板（４）に設けられ、さらに、上記生ゴミ処理槽（１）の下部および処理材排出槽（５）の下部にわたって設けられた点検口（２８）を塞ぐ点検口本体（２１）があって、この点検口本体（２１）にあり、上記処理材排出槽（５）の下方部に位置する排出開口（７）、および、この排出開口（７）と連通する点検口用蓋（２２）を設け、この点検口用蓋（２２）には、同処理材排出槽（５）から排出された上記生ゴミ処理材（３）を受ける袋状の受け槽（８）が着脱自在に装着されているので、点検口本体（２１）にて生ゴミ処理槽（１）の下部に設けられた点検口（２８）を塞ぐとともに、処理材排出槽（５）の下方部に位置する排出開口（７）を点検口本体（２１）に設けることで、従来のように２つの点検蓋が不要なものとなって、その分だけビスの外し作業が少なくなり、結果として、手間が減り、メンテナンスの作業効率としては高くなるものである。しかも、この排出開口（７）と連通するようにして点検口用蓋（２２）を設けて袋状の受け槽（８）が着脱自在に装着されているために、この点検口用蓋（２２）が処理材排出槽（５）から排出された生ゴミ処理材（３）を通すダクトとしての役割と受け槽（８）の取り付けガイドとしての役割を果たし、結果として、部品点数削減に繋がり、このような点においても、手間が減り、メンテナンスの作業効率としては高くなるものである。
【００４３】
すなわち、本発明は、メンテナンスを容易に行うことができるものである。
【００４４】
【発明の効果】
本発明の請求項１に係る生ゴミ処理装置によると、点検口本体（２１）にて生ゴミ処理槽（１）の下部に設けられた点検口（２８）を塞ぐとともに、処理材排出槽（５）の下方部に位置する排出開口（７）を点検口本体（２１）に設けることで、従来のように２つの点検蓋が不要なものとなって、その分だけビスの外し作業が少なくなり、結果として、手間が減り、メンテナンスの作業効率としては高くなるものである。しかも、この排出開口（７）と連通するようにして点検口用蓋（２２）を設けて袋状の受け槽（８）が着脱自在に装着されているために、この点検口用蓋（２２）が処理材排出槽（５）から排出された生ゴミ処理材（３）を通すダクトとしての役割と受け槽（８）の取り付けガイドとしての役割を果たし、結果として、部品点数削減に繋がり、このような点においても、手間が減り、メンテナンスの作業効率としては高くなるものである。
【００４５】
すなわち、本発明は、メンテナンスを容易に行うことができるものである。
本発明の請求項２に係る生ゴミ処理装置によると、請求項１記載の場合に加えて、受け槽（８）の装着を行う際、この受け槽取付ガイド（２３）に受け槽（８）を取り付けて、同受け槽取付ガイド（２３）に沿って受け槽（８）を導くと、自ずと受け槽（８）の装着が完結するものである。逆に、受け槽（８）の取り外しを行う際、この受け槽取付ガイド（２３）に沿って、受け槽（８）をずらしていくだけで、受け槽（８）が簡単に外れるものであり、以上のことから、受け槽取付ガイド（２３）にて受け槽（８）としては、より一層簡単、かつ、迅速に着脱自在に装着することができるものとなる。
【００４６】
本発明の請求項３に係る生ゴミ処理装置によると、請求項１または請求項２記載の場合に加えて、点検口用蓋（２２）の下部に背面側に突出した突出柱（２６）を点検口本体（２１）の下部に形成され、手前側に突出した筒体（２４）に差し込むとともに、点検口用蓋（２２）の上部に手前側に突出した中空状の突起体（２５）において、中空部分にビスを差し込んで、同ビスを手回し固定するだけで、点検口本体（２１）と点検口用蓋（２２）とが簡単に一体に取り付けられるものとなり、メンテナンスの作業効率としてはより一層良くなるものである。
【００４７】
本発明の請求項４に係る生ゴミ処理装置によると、請求項３記載の場合に加えて、この凹所（２７）に作業者が手指を入れることで、ビスが手で回しやすくなり、突起体（２５）の中空部分に簡単にビスを手回し固定することができるようになるものであり、点検口本体（２１）と点検口用蓋（２２）とをより一層簡単、かつ、迅速に一体に取り付けられるようになるものである。
【図面の簡単な説明】
【図１】（ａ）は、本発明の一実施形態に係る生ゴミ処理装置を正面から見た断面図であり、（ｂ）は、（ａ）の生ゴミ処理装置の要部を正面から見た概略図である。
【図２】本発明の一実施形態に係る生ゴミ処理装置の要部を側面から見た分解断面図である。
【図３】本発明の生ゴミ処理装置に用いられる一実施形態に係る点検口用蓋の斜視図である。
【図４】本発明の生ゴミ処理装置に用いられる一実施形態に係る点検口本体の斜視図である。
【図５】本発明の一実施形態に係る生ゴミ処理装置を側面から見た断面図である。
【図６】従来例に係る生ゴミ処理装置を正面から見た断面図である。
【符号の説明】
１    生ごみ処理槽
３    生ごみ処理材
４    仕切り板
５    処理材排出槽
６    開口部
７    排出開口
８    受け槽
２１  点検口本体
２２  点検口用蓋
２３  受け槽取付ガイド
２４  筒体
２５  突起体
２６  突出柱
２７  凹所
２８  点検口
【図１】
0003620297.tif 000002
【図２】
0003620297.tif 000003
【図３】
0003620297.tif 000004
【図４】
0003620297.tif 000005
【図５】
0003620297.tif 000006
【図６】
0003620297.tif 000007